(57)【要約】【課題】付加情報（日付情報/時間情報等）を、ＤＶＤ規格で定められているサブピクチャデータとして生成し、付加情報としてオーディオビデオデータと共に記録する場合、回路規模が大きくなり、また、本来記録可能なオーディオビデオ信号の容量が制限を受ける。【解決手段】サブコード日時データ検出部４は、ＤＶデータ中のサブコードデータの中から日付情報及び時間情報を取り出す。文字画面データ生成部９は、日時データを文字表示するための表示用データを生成する。文字表示制御部１２は、表示モード設定部１１で設定された表示モードに従い、文字表示用画像信号を生成する。ビデオ/文字画面合成部１３は、表示用データと伸張されたビデオ信号とを合成して日時データ合成済みビデオデータを生成してＭＰＥＧ圧縮部１５へ供給する。これにより、ＤＶデータ中の日時データを、小さな回路規模の構成により、高画質で記録媒体に記録できる。【選択図】図１
2007288390.tif 000002
【特許請求の範囲】
【請求項１】
ＩＥＥＥ１３９４インターフェースを介して入力されたＤＶ規格のデジタルデータをＭＰＥＧ規格の圧縮データに変換後、所定の記録媒体に記録するための信号処理を行う信号処理装置であって、
入力された前記ＤＶ規格のデジタルデータに含まれる日付／時間情報と圧縮ビデオデータとを分離抽出する分離抽出手段と、
分離抽出された前記日付／時間情報を文字情報に変換する変換手段と、
分離抽出された前記圧縮ビデオデータを伸張してビデオ信号を生成するビデオデータ伸張手段と、
前記ビデオデータ伸張手段により生成された前記ビデオ信号に、前記文字情報を合成して、合成ビデオ信号を生成する合成手段と、
前記合成ビデオ信号をＭＰＥＧ方式に基づき圧縮符号化して、記録用の符号化信号を生成する圧縮手段と
を有することを特徴とする信号処理装置。
【発明の詳細な説明】
【技術分野】
【０００１】
本発明は信号処理装置に係り、特にハードディスク、光ディスク又は磁気テープを記録媒体とし、ＩＥＥＥ１３９４インターフェースを備えたデジタル信号記録装置において、ＩＥＥＥ１３９４インターフェースを介して接続されたＤＶカメラレコーダの再生信号に含まれる記録日付／時間情報を、自動的に再生画像に重畳させてダビングする信号処理装置に関する。
【背景技術】
【０００２】
ハードディスク、光ディスク、磁気テープを記録媒体とし、米国電気電子技術者協会（ＩＥＥＥ）が規格化したシリアルインターフェースであるＩＥＥＥ１３９４インターフェースを備えたデジタル信号記録装置において、ＩＥＥＥ１３９４インターフェースを介して入力されたＤＶ規格のデジタルデータをＭＰＥＧデータに変換後、上記の記録媒体に記録する機能が搭載されている。このデジタル信号記録装置は、ＤＶ規格のビデオカメラ（所謂ＤＶカメラ）で撮影した画像を記録した録画テープを、手軽に光ディスクである多用途ディスク（ＤＶＤ）にダビングする方法に用いる記録装置として普及している。
【０００３】
このハードディスク、光ディスク、磁気テープを記録媒体とするデジタル信号記録装置において、ＤＶカメラの再生信号をダビング記録する際は、ＤＶカメラ側のコンポジットビデオ出力端子、又はＳ出力端子等のアナログビデオ出力端子を、上記デジタル信号記録装置の該当するアナログビデオ入力端子に接続した上で、ＤＶカメラ側で予め、再生信号の記録日付／時間等を出力映像信号にスーパーインポーズ表示させる設定を行った後、ＤＶカメラで録画テープを再生し、再生信号を上記デジタル信号記録装置により記録媒体に記録する方法がとられている。
【０００４】
また、付加情報（日付情報/時間情報等）をＤＶＤ規格で定められているサブピクチャデータとして圧縮し、オーディオデータとは別データとして記録媒体に記録するようにした記録装置も従来知られている（例えば、特許文献１参照）。
【０００５】
【特許文献１】特開２００４−２０１１００号公報
【発明の開示】
【発明が解決しようとする課題】
【０００６】
しかしながら、ＩＥＥＥ１３９４を用いたダビングでは、ＤＶデータをＭＰＥＧ２データに変換する際、ＤＶデータが含まれる日付情報や時間情報が、ＭＰＥＧ２データ内に該当するデータを入れるエリアが定められていないため、引き継がれず（ダビングされず）、ダビング記録されたデータの本来の記録日付が失われてしまうという問題点がある。
【０００７】
一方、前記特許文献１記載の発明では、付加情報（日付情報/時間情報等）を、ＤＶＤ規格で定められているサブピクチャデータとして生成し、付加情報としてオーディオビデオデータと共に記録することで、上記の問題点を解決している。
【０００８】
しかしながら、この特許文献１記載の発明では、記録時にオーディオビデオ信号の圧縮処理とは別にサブピクチャデータを圧縮処理する必要があり、回路規模が大きくなるという問題点がある。更に、ＤＶＤに記録可能な容量には上限が決まっており、サブピクチャデータの容量により、本来記録可能なオーディオビデオ信号の容量が制限を受ける場合もあるという問題がある。
【０００９】
本発明は以上の点に鑑みなされたもので、小さな回路規模の構成により、サブピクチャデータを使用することなく所望の文字情報等を高画質で記録媒体に記録し得る信号処理装置を提供することを目的とする。
【課題を解決するための手段】
【００１０】
上記の目的を達成するため、本発明は、ＩＥＥＥ１３９４インターフェースを介して入力されたＤＶ規格のデジタルデータをＭＰＥＧ規格の圧縮データに変換後、所定の記録媒体に記録するための信号処理を行う信号処理装置であって、入力されたＤＶ規格のデジタルデータに含まれる日付／時間情報と圧縮ビデオデータとを分離抽出する分離抽出手段と、分離抽出された日付／時間情報を文字情報に変換する変換手段と、分離抽出された圧縮ビデオデータを伸張してビデオ信号を生成するビデオデータ伸張手段と、ビデオデータ伸張手段により生成されたビデオ信号に、文字情報を合成して、合成ビデオ信号を生成する合成手段と、合成ビデオ信号をＭＰＥＧ方式に基づき圧縮符号化して、記録用の符号化信号を生成する圧縮手段とを有することを特徴とする。
【００１１】
この発明では、ＤＶ規格のデジタルデータに含まれる日付／時間情報を文字情報に変換し、その文字情報をＤＶ規格のデジタルデータに含まれる圧縮ビデオデータを伸張して得たビデオ信号に合成した合成ビデオ信号を、ＭＰＥＧ方式に基づき圧縮符号化し、その圧縮符号化信号を記録媒体に記録するようにしたため、ＤＶ規格のデジタルデータに含まれる日付／時間情報を記録媒体にそのまま記録することができる。
【発明の効果】
【００１２】
本発明によれば、ＤＶ規格のデジタルデータに含まれる日付／時間情報を、文字情報として記録媒体にそのまま記録する（引き継ぐ）ことができると共に、文字情報をビデオ信号と合成した後に圧縮するため、文字情報用の圧縮処理回路を別に必要とせず、回路規模の増大を抑えることができる。
【００１３】
また、本発明によれば、サブピクチャデータを利用して主オーディオビデオデータと別領域に文字情報を記録するのでなく、ビデオ信号の一部として合成した文字情報を圧縮符号化して記録するため、文字情報用の記録容量をビデオデータと別に確保する必要がなく、ビデオ信号の上限記録容量を、文字情報の情報量に影響されず、常に最大限まで使用することができ、この結果、サブピクチャデータを利用して主オーディオビデオデータと別領域に文字情報を記録する従来装置に比べて、文字情報を高画質で記録できる。
【００１４】
更に、本発明によれば、機器間接続としてＩＥＥＥ１３９４インターフェースを用いるため、デジタル信号のままで受信側機器へ接続できるため、アナログ信号端子を使用した機器間接続における場合よりも、画質劣化を最小限に抑えることができる。
【発明を実施するための最良の形態】
【００１５】
次に、本発明の実施の形態について図面を参照して説明する。図１は本発明になる信号処理装置の一実施の形態のブロック図を示す。本実施の形態の信号処理装置２５は、ＤＶカメラレコーダ（図示せず）から出力されたＤＶ規格のデータストリーム（以下、ＤＶデータストリームという）が入力される入力ポート１と、入力ポート１から入力されたＤＶデータストリームを受信するＩＥＥＥ１３９４インターフェースによる１３９４入力部２と、１３９４入力部２を介して入力されたＤＶデータストリームから圧縮ビデオデータ、オーディオデータ、サブコードデータを抽出するデマルチプレクサ３と、ＤＶデータストリームに含まれるサブコードデータから日付/時間情報を抜き出すサブコード日時データ検出部４と、ＤＶデータストリームに含まれる圧縮ビデオデータを伸張するビデオデータ伸張部５と、ＤＶデータストリームに含まれるオーディオデータを取り出すオーディオデータ検出部６と、検出された日時データを保持する日時データメモリ７と、日時データメモリ７に保持された日時データと検出された日時データとを比較する日時データ比較部８と、日時データから文字表示用画面データを生成する文字画面データ生成部９と、文字画面表示用のフォントデータを格納した日時データ用フォントテーブル１０とを有する。
【００１６】
また、信号処理装置２５は、文字表示のモードを設定する表示モード設定部１１と、設定された表示モードに従って文字画面データ生成部９で生成された文字表示用画面データの表示状態を制御する文字表示制御部１２と、文字表示画面と伸張されたビデオデータとを合成するビデオ/文字画面合成部１３と、検出されたオーディオデータを圧縮するオーディオデータ圧縮部１４と、文字画面を合成したビデオデータをＭＰＥＧ２方式により圧縮するＭＰＥＧ２圧縮部１５と、ＭＰＥＧ２方式により圧縮したビデオデータと圧縮されたオーディオデータとをデータストリーム形式に従って配置するマルチプレクサ１６と、マルチプレクスされたデータストリームデータを保持するバッファメモリ１７と、データストリームを記録媒体に記録するための処理を行う記録部１８とを有する。
【００１７】
更に、信号処理装置２５は、ビデオ／文字画面合成部１３で文字画面を合成したビデオデータをアナログ画像に変換するデジタル／アナログ画像変換部１９と、日時データ表示済み画面を出力するモニタ出力端子２０と、ハードディスク記録メディア２１、光ディスク記録メディア２２、テープ記録メディア２３とを有する。
【００１８】
図２は図１に示した構成の信号処理装置（以下、本装置ともいう）２５の接続形態の一例を示す。図２において、本装置２５は、ＤＶ信号を出力するＤＶカメラレコーダ３０と、日付／時間情報挿入後の画面確認用の外部モニタ３３と接続されている。ＤＶカメラレコーダ３０は、自身の１３９４ポート３１を介して本装置２５の１３９４入力ポート１と１３９４ケーブル３２で接続される。また、外部モニタ３３は、本装置２５のモニタ出力端子２０とアナログ信号またはデジタル信号の伝送用信号ケーブル３４で接続される。ＤＶカメラレコーダ３０は、撮像機能と、その撮像機能を用いて撮像して得られた映像信号をＤＶ規格のフォーマットに変換して所定の記録媒体に記録し、それを再生する記録再生機能とを備えた装置である。
【００１９】
図３は図２のＤＶカメラレコーダ３０から出力されるＤＶデータストリームのパケット構成を示す。本構成図は、ＳＤ−ＤＶＣＲ５２５−６０フォーマットのＤＶデータ１フレーム分のパケット単位で表現しており、アイソクロナス転送時に付加されるヘッダ等は省略している。図３に示すヘッダＤＩＦブロックＨ０，サブコードＤＩＦブロックＳＣ０及びＳＣ１，ＶＡＵＸ  ＤＩＦブロックＶＡｉ（ｉ＝０，１，２），ビデオＤＩＦブロックＶｉ（ｉ＝０，１，・・・，１３４）、オーディオＤＩＦブロックＡｉ（ｉ＝０，・・・，８）で示される各ＤＩＦブロックは、８０バイト単位で構成され、１パケットは６ＤＩＦブロック（４８０バイト）で構成される。
【００２０】
１フレームは１０トラック（１０シーケンス）で構成され、１トラック分（１シーケンス）は、２５パケット（１５０ＤＩＦブロック）となるため、１フレーム内の全パケット数は２５０パケット（１５００ＤＩＦブロック）となる。
【００２１】
図４は上述したサブコードＤＩＦブロックであるＳＣ０及びＳＣ１のデータ構成詳細を示す。ＳＣ０は図４（Ａ）、（Ｂ）に示すように、３バイトのＩＤと、各８バイトのＳＳＹＢ０〜ＳＳＹＢ５の６個のシンクブロックと、２９バイトの予約領域とからなる。また、ＳＣ１は図４（Ｃ）、（Ｄ）に示すように、３バイトのＩＤと、各８バイトのＳＳＹＢ６〜ＳＳＹＢ１１の６個のシンクブロックと、２９バイトの予約領域とからなる。
【００２２】
サブコードＤＩＦブロックＳＣ０とＳＣ１の各シンクブロックは、図４（Ｅ）に示すように、２バイトのサブコードＩＤと、１バイトの予約領域と、５バイトのサブコードデータから構成される。サブコードデータは、ＰＣ０〜ＰＣ４の５バイトで構成されるパック（ＰＡＣＫ）データによって表現される。ＰＣ０はＰＡＣＫヘッダと呼ばれ、この内容によってパックの種類を表すように定義されている。ＤＶデータの記録日付情報は、ＶＡＵＸ  ＲＥＣ  ＤＡＴＥ  ＰＡＣＫ（ＰＡＣＫヘッダ値＝６２ｈ）、同じく記録時間情報は、ＶＡＵＸ  ＲＥＣ  ＴＩＭＥ  ＰＡＣＫ（ＰＡＣＫヘッダ値＝６３ｈ）に保持されている。ＶＡＵＸ  ＲＥＣ  ＤＡＴＥ  ＰＡＣＫはフレーム後半の５シーケンス内のＳＳＹＢ４及びＳＳＹＢ１０に同じ内容を保持しており、ＶＡＵＸ  ＲＥＣ  ＴＩＭＥ  ＰＡＣＫは、フレーム後半の５シーケンス内のＳＳＹＢ５及びＳＳＹＢ１１に同じ内容を保持している。
【００２３】
図５は上記のＶＡＵＸ  ＲＥＣ  ＤＡＴＥ  ＰＡＣＫの内容を示す。同図に示すように、ＶＡＵＸ  ＲＥＣ  ＤＡＴＥ  ＰＡＣＫのＰＡＣＫヘッダＰＣ０は「０１１００００１０」の値であり、記録日付情報として、年（ＰＣ４：ＹＥＡＲ）、月（ＰＣ３：ＭＯＮＴＨ）、日（ＰＣ２：ＤＡＹ）の他、曜日（ＰＣ３：ＷＥＥＫ）、タイムゾーン（ＰＣ１：ＴＩＭＥ  ＺＯＮＥ，ＧＭＴからの差分）、タイムゾーンの３０分フラグ（ＰＣ１：ＴＭ）、サマータイムフラグ（ＰＣ１：ＤＳ）の情報が保持されている。
【００２４】
図６は上記のＶＡＵＸ  ＲＥＣ  ＴＩＭＥ  ＰＡＣＫの内容を示す。同図に示すように、ＶＡＵＸ  ＲＥＣ  ＴＩＭＥ  ＰＡＣＫのＰＡＣＫヘッダＰＣ０は「０１１００００１１」の値であり、記録時間情報として、時（ＰＣ４：ＨＯＵＲＳ）、分（ＰＣ３：ＭＩＮＵＴＥＳ）、秒（ＰＣ２：ＳＥＣＯＮＤＳ）、フレーム（ＰＣ１：ＦＲＡＭＥＳ、ドロップフレームでカウントされる）が保持されている。
【００２５】
次に、図２に基づいて本実施の形態の全体の動作概要を説明する。ＤＶカメラレコーダ３０からＩＥＥＥ１３９４インターフェースの１３９４ポート３１を介して送出されるアイソクロナス伝送による再生ＤＶデータストリームは、本装置２５のデータ入力用ＩＥＥＥ１３９４インターフェース（１３９４入力ポート１）を介して受信される。この場合、予め、ＤＶカメラレコーダ３０と本装置２５との間において、ポイント・ツウ・ポイント（Ｐｏｉｎｔ−ｔｏ−Ｐｏｉｎｔ）コネクション、又はブロードキャスト（Ｂｒｏａｄｃａｓｔ）コネクションを確立し、データの受信が可能な状態にしておく。
【００２６】
本装置２５で受信されたＤＶデータストリームは、本装置２５によって一旦デコードされ、ＤＶデータストリームのサブコード部（図３のＳＣ０，ＳＣ１）に含まれている記録日時データ（図５のＶＡＵＸ  ＲＥＣ  ＤＡＴＥ  ＰＡＣＫに含まれる年月日データ、及び、図６のＶＡＵＸ  ＲＥＣ  ＴＩＭＥ  ＰＡＣＫに含まれる時分秒フレームデータ）を、目視確認可能な文字フォントデータに変換されて、同じデータストリーム内の圧縮されたビデオデータを伸張した画像データに重畳される。
【００２７】
上記の文字フォントデータが重畳された画像データは、本装置２５のモニタ端子２０と信号ケーブル３４を介して接続されている外部モニタ３３に供給されると同時に、本装置２５内でＭＰＥＧ２データに再エンコードされた後、本装置２５に内蔵された図１のハードディスク記録メディア２１、光ディスク記録メディア２２、テープ記録メディア２３のいずれかの記録部により所定の記録媒体に記録される。
【００２８】
次に、本装置２５の動作を図１を用いて説明する。データ入力用ＩＥＥＥ１３９４インターフェースの入力ポート１から本装置２５に宛てて入力されたアイソクロナス伝送によるＤＶデータストリーム（図３参照）は、１３９４入力部２で受信された後、デマルチプレクサ３により、サブコードデータ（図３のＳＣ０及びＳＣ１）、圧縮ビデオデータ（図３のＶｉ）、オーディオデータ（図３のＡｉ）がそれぞれ分離出力される。
【００２９】
分離された圧縮ビデオデータは、ビデオデータ伸張部５にて伸張処理されて画像データとされた後、ビデオ/文字画面合成部１３の被合成ビデオデータ入力端子vに供給される。この伸張処理されて得られた画像データの画像は、一例として、図７（Ａ）のＰＩＣ１とする。
【００３０】
また、分離されたサブコードデータは、サブコード日時データ検出部４に供給され、ここでサブコードデータの中から前記したＶＡＵＸ  ＲＥＣ  ＤＡＴＥ  ＰＡＣＫ及びＶＡＵＸ  ＲＥＣ  ＴＩＭＥ  ＰＡＣＫを抽出して、これらに保持されている日付情報（年月日）及び時間情報（時分秒フレーム）からなる記録日時データ（図５及び図６参照）が取り出される。サブコード日時データ検出部４から取り出された記録日時データは、日時データメモリ７に保持されている以前に書き込まれた日時データと、日時データ比較部８で比較される。
【００３１】
日時データ比較部８は、入力された２つの日時データが同じであれば何もせず、異なっていたときはサブコード日時データ検出部４からの記録日時データを更新用信号端子cから出力し、日時データメモリ７に保持されている日時データの内容をその記録日時データに更新すると共に、表示モード設定部１１に更新用タイミング信号として供給する。表示モード設定部１１は、更新タイミング信号を受けると、表示モード設定部１１で設定された内容に従い、文字表示制御部１２を用いて、表示される文字の状態を制御する。
【００３２】
また、日時データ比較部８を介して日時データメモリ７の更新内容が文字画面データ生成部９に供給される。文字画面データ生成部９は、供給された日時データを文字表示するための、文字フォントデータを日時データ用フォントテーブル１０から取り出し、表示用データとして文字表示制御部１２へ供給する。文字表示制御部１２では、表示モード設定部１１で予め設定された文字サイズ（端子Ｃ経由で設定）、表示位置（端子Ｂ経由で設定）、表示モード（非表示(OFF)/一定時間表示（AUTO）/常時表示（ON））に従い、文字表示用画像信号を生成する。この文字表示用画像信号の画像イメージを図７（Ｂ）にＰＩＣ２で示す。
【００３３】
上記の文字表示用画像信号は、ビデオ/文字画面合成部１３の合成用文字信号入力端子fに供給され、上述した被合成ビデオデータ入力端子ｖに供給されるビデオデータとビデオ/文字画面合成部１３にて合成される。これにより、ビデオ/文字画面合成部１３からは、図７（Ｃ）に示すような画像合成イメージの日時データ入りのビデオデータが出力される。なお、文字表示用画像信号が合成されたビデオデータ（上記日時データ入りのビデオデータ）は、デジタル／アナログ画像変換部１９によりアナログビデオ信号に変換された後、モニタ出力端子２０を介して外部へ出力される。これにより、ユーザーは、モニタ出力端子２０に接続された外部モニタ３３（図２参照）にて、日時データが文字表示された画像（図７（Ｃ）のＰＩＣ３）を目視確認できる。
【００３４】
ここで、文字表示制御部１２で合成用文字表示用信号画面を作成する際に、表示モード設定部１１にてユーザーが設定できる要素について説明する。このユーザーが設定できる要素は、（Ａ）表示の可否（ＯＮ／ＯＦＦ／ＡＵＴＯ）、（Ｂ）表示位置、（Ｃ）文字サイズがある。
【００３５】
まず、（Ａ）の表示の可否については、常に日時データを表示する場合は“ＯＮ”のポジション、表示しない場合は、”ＯＦＦ”のポジション、日付や時間が不連続に変化した場合に、一定の時間（例えば、変化後１０秒間等、これもユーザーが設定できるようにしてもよい）変化後の情報を表示させる場合は、“ＡＵＴＯ”のポジションにそれぞれ設定できるように、外部スイッチやソフトウェアスイッチを用意しておく。
【００３６】
次に、（Ｂ）の表示位置については、図７（Ｂ）に示す通り、画面の横方向（Ｘ）及び縦方向（Ｙ）に、それぞれ表示位置を可変できるような手段（キー、ダイヤル、スイッチ等）を用意しておく。最後に、（Ｃ）の文字サイズについては、ユーザーが見易いように、ある程度、文字のサイズが可変できるような手段（キー、ダイヤル、スイッチ等）を用意しておく。以上のユーザー設定は、上記の外部モニタ出力画像によって目視確認可能なため、ユーザーが外部モニタ３３の画面を見ながら設定を変更することができる。
【００３７】
なお、図１のビデオ/文字画面合成部１３から出力された日時データ合成済みビデオデータは、上記の外部モニタ出力端子２０への経路とは別に、ＭＰＥＧ圧縮部１５へ供給され、ここでＭＰＥＧ２-ＰＥＳ（Program Elementary Stream）データ、または、ＭＰＥＧ２-ＴＳ(Transport Stream)データのいずれかに、記録する媒体によって予め規定されたフォーマットで圧縮符号化されて圧縮符号化信号となる。
【００３８】
マルチプレクサ１６は、上記のＭＰＥＧ２圧縮部１５からの圧縮符号化信号とオーディオデータ圧縮部１４からの圧縮されたオーディオデータとを、データストリーム形式に従って時系列的に合成してストリームデータを生成し、これをバッファメモリ１７に一時保持する。バッファメモリ１７から出力されたストリームデータは、記録部１８によりハードディスク記録メディア２１、光ディスク記録メディア２２、テープ記録メディア２３のうち所望の記録メディアに記録される。
【００３９】
このように、本実施の形態のＭＰＥＧ記録方式の信号処理装置２５によれば、ＩＥＥＥ１３９４インターフェースを用いてＤＶカメラレコーダの再生信号を、ハードディスク、光ディスク、ビデオテープ等を記録媒体にダビングする際、従来は、読み捨てられていたため、ダビングされた媒体では、記録した日付時間が失われていた、ＤＶ再生信号に含まれている記録日付/時間情報を、文字情報としてダビングされた媒体に引き継ぐことができる。
【００４０】
また、従来は、ＤＶテープに記録されている日付/時間情報を引き継ぐためには、ＤＶカメラレコーダ側で、予め、日付情報を出力画像にスーパーインポーズ表示させて、Ｓ端子やコンポジットビデオ端子で記録装置の入力端子（Ｓ,コンポジットビデオ）に接続し、記録するという方法をとっていたのに対し、本実施の形態では、機器間接続としてＩＥＥＥ１３９４インターフェースを用いるため、デジタル信号のままで受信側機器へ接続できるため、上述したアナログ信号端子を使用した機器間接続における場合よりも、画質劣化を最小限に抑えることができる。
【００４１】
また、本実施の形態によれば、ＤＶＤのサブピクチャデータを利用して主オーディオビデオデータと別領域に文字情報を記録するのでなく、主ビデオデータの一部として合成して文字情報を記録するため、文字データ用の記録容量をオーディオビデオデータと別に確保する必要がなく、オーディオビデオ信号の上限記録容量を、文字情報の情報量に影響されず、常に最大限まで使用することができ、高画質で記録できる。
【００４２】
また、本実施の形態では、ビデオ/文字画面合成部１３にてビデオデータと文字表示用画像信号とを合成して得られた日時データ入りのビデオデータに対してＭＰＥＧ２圧縮部１５にてＭＰＥＧ２方式による圧縮を行うため、日時データ用の圧縮処理回路を別に必要とせず、回路規模の増大を抑えることができる。
【００４３】
更に、本実施の形態では、合成する文字のフォントサイズや表示位置、また、表示期間を、記録開始前に予めテスト再生させることで、目視確認することができるため、文字位置の設定ミス等による記録のやり直しを防ぐことができる。
【００４４】
更にまた、従来はＤＶカメラレコーダ側の設定で、日付情報を表示させて、アナログ信号による接続でダビングする場合は、日付情報を常時表示させるしか選択肢が無かったため、日付情報が邪魔に感じることもあったが、本実施の形態によれば、AUTO表示を選択することにより、日付や時間の不連続点が発生した場合のみ、予め指定した時間だけ表示させることも可能となるため、常時表示の煩わしさを回避することができる。
【００４５】
なお、本発明は以上の実施の形態に限定されるものではなく、例えば記録する日時データは、ダビング時の日時ではなく、撮影時の日時などでもよい。また、本発明は、図１のブロック３〜１６の機能動作をコンピュータにより実行させるコンピュータプログラムも包含するものである。このコンピュータプログラムは記録媒体に記録されていてもよいし、ネットワークを介して配信されてもよい。
【図面の簡単な説明】
【００４６】
【図１】本発明の一実施の形態のブロック図である。
【図２】図１に示した構成の信号処理装置の接続形態の一例を示す図である。
【図３】図２のＤＶカメラレコーダから出力されるＤＶデータストリームのパケット構成を示す図である。
【図４】サブコードＤＩＦブロックであるＳＣ０及びＳＣ１のデータ構成詳細を示す図である。
【図５】ＶＡＵＸ  ＲＥＣ  ＤＡＴＥ  ＰＡＣＫの内容を示す図である。
【図６】ＶＡＵＸ  ＲＥＣ  ＴＩＭＥ  ＰＡＣＫの内容を示す図である。
【図７】図１の各部の信号の画面イメージの一例を示す図である。
【符号の説明】
【００４７】
１  入力部
２  １３９４入力部
３  デマルチプレクサ
４  サブコード日時データ検出部
５  ビデオデータ伸張部
６  オーディオデータ検出部
７  日時データメモリ
８  日時データ比較部
９  文字画面データ生成部
１０  日時データ用フォントテーブル
１１  表示モード設定部
１２  文字表示制御部
１３  ビデオ／文字画面合成部
１４  オーディオデータ圧縮部
１５  ＭＰＥＧ２圧縮部
１６  マルチプレクサ
１７  バッファメモリ
１８  記録部
２０  文字合成済み画面モニタ出力端子
【図１】
2007288390.tif 000003
【図２】
2007288390.tif 000004
【図３】
2007288390.tif 000005
【図４】
2007288390.tif 000006
【図５】
2007288390.tif 000007
【図６】
2007288390.tif 000008
【図７】
2007288390.tif 000009